(57)【要約】【課題】本発明は、開発の際の製造期間や製造コストを削減することができる携帯端末を提供する。【解決手段】本体部材２及びこの本体部材２に着脱自在に設けられた複数のパネル部材３、３Ａからなる携帯端末１であって、複数のパネル部材３、３Ａは、各々、任意の情報を記憶する記憶手段を備え、本体部材２は、複数のパネル部材３、３Ａのうちのいずれかが装着された際、この装着されたパネル部材３、３Ａの記憶手段により記憶された情報を取得する取得手段を備えた。【選択図】  図４
2009159276.tif 000002
【特許請求の範囲】
【請求項１】
本体部材及びこの本体部材に着脱自在に設けられた複数のパネル部材からなる携帯端末であって、
前記複数のパネル部材は、各々、任意の情報を記憶する記憶手段を備え、
前記本体部材は、前記複数のパネル部材のうちのいずれかが装着された際、この装着されたパネル部材の記憶手段により記憶された情報を取得する取得手段を備えたことを特徴とする携帯端末。
【請求項２】
前記複数のパネル部材のうちのいずれかのパネル部材は、所定エリア内において所定ネットワークに接続するための通信手段を備え、
前記本体部材は、前記所定エリア内において前記通信手段を備えたパネル部材が装着された際、この装着されたパネル部材の通信手段を用いて通信を行う通信制御手段を備えたことを特徴とする請求項１記載の携帯端末。
【請求項３】
前記本体部材は、
前記複数のパネル部材の着脱状態を検知する検知手段と、
前記検知手段が前記所定エリア外において前記通信手段を備えたパネル部材が装着されていることを検知した場合、警告を発生する警告手段と、を備えたことを特徴とする請求項２記載の携帯端末。
【請求項４】
前記本体部材は、
前記複数のパネル部材の着脱状態を検知する検知手段と、
前記検知手段が前記所定エリア外において前記通信手段を備えたパネル部材が装着されていることを検知した場合、前記パネル部材の記憶手段により記憶されている情報へのアクセスを禁止する禁止手段と、を備えたことを特徴とする請求項２記載の携帯端末。
【請求項５】
前記複数のパネル部材の記憶手段は、各々、携帯端末の操作状態を設定するための設定情報を記憶し、
前記本体部材は、前記複数のパネル部材のうちのいずれかが装着された際、前記取得手段がこのパネル部材の記憶手段から取得した前記設定情報に基づいて携帯端末の操作状態を設定する設定手段を備えたことを特徴とする請求項１記載の携帯端末。
【請求項６】
前記複数のパネル部材の記憶手段は、各々、携帯端末が有する各種機能のＯＮ／ＯＦＦ状態を示す設定情報を記憶し、
前記本体部材は、前記複数のパネル部材のうちのいずれかが装着された際、前記取得手段がこのパネル部材の記憶手段から取得した前記設定情報に基づいて携帯端末が有する各種機能のＯＮ／ＯＦＦ状態を設定する設定手段を備えたことを特徴とする請求項１記載の携帯端末。
【請求項７】
前記複数のパネル部材は、各々、契約者情報が記憶されているＳＩＭカードを有するとともに、このＳＩＭカードから契約者情報を取得して前記本体部材に送信するＳＩＭ制御手段を備え、
前記本体部材は、前記複数のパネル部材のうちのいずれかが装着された際、通信を行う時に、この装着されたパネル部材のＳＩＭ制御手段から契約者情報を受信し、この契約者情報に基づいて通信を行う通信制御手段を備えたことを特徴とする請求項１記載の携帯端末。
【発明の詳細な説明】
【技術分野】
【０００１】
本発明は、本体部材とデータメモリを搭載した複数のパネル部材とを備え、このパネル部材が本体部材に着脱自在に装着される携帯端末に関する。
【背景技術】
【０００２】
近年、携帯端末等の通信端末の多機能化が進んでおり、これらの携帯端末は、発着信機能、メール送受信機能、Ｗｅｂ閲覧機能、カメラ機能、テレビ視聴録画機能等の様々な機能を具備している。ユーザが所望の機能を備えた携帯端末を所有することにより携帯端末を便利に使用することが可能となっている。
【０００３】
しかしながら、一つの携帯端末にこれら全ての機能を実装することが難しいため、個体によってこれらの機能を選択的に実装する必要が生じている。これにより、携帯端末のバリエーションが多くなり過ぎて製造コストがかさんでしまうという問題があった。また、携帯端末が様々な機能を搭載していて便利な反面、ユーザが普段使用しない機能のプログラムがメモリに常駐してメモリの所定エリアを占有してしまい、メモリを有効活用できない恐れがあるという問題もあった。
【０００４】
そこで、ユーザの希望に応じた最小限の回路機能を実現できる携帯端末が提案されている（特許文献１参照）。この携帯端末は、通話と電子メールによる通信のみ可能な本体と着信機能を充実させるための着せ替えパネルとを備えているとともに、この着せ替えパネルが本体に交換自在に装着されるように構成されたものである。
【特許文献１】特開２００７−８８７３５号公報
【発明の開示】
【発明が解決しようとする課題】
【０００５】
携帯端末において、通信に必要な最低限の機能を本体に持たせ、付加的な機能を着脱式のパネルに持たせることにより、シンプルな機能をもった本体を低コストで製造することができる。しかしながら、携帯端末に付加的な機能をたくさん持たせようとした時に、各機能毎にパネルを開発しなければならないため、結果としてパネルのバリエーションを増やさなければならず、パネルの開発に製造期間や製造コストがかかってしまうという問題があった。
【０００６】
本発明は、上記課題を鑑みなされてものであり、多機能であるとともに、開発の際の製造期間や製造コストを削減することができる携帯端末を提供することを目的とする。
【課題を解決するための手段】
【０００７】
上記課題を解決するために、本発明に係る携帯端末は、本体部材及びこの本体部材に着脱自在に設けられた複数のパネル部材からなる携帯端末であって、前記複数のパネル部材は、各々、任意の情報を記憶する記憶手段を備え、前記本体部材は、前記複数のパネル部材のうちのいずれかが装着された際、この装着されたパネル部材の記憶手段により記憶された情報を取得する取得手段を備えたことを特徴とする。
【発明の効果】
【０００８】
本発明に係る携帯端末によると、本体部材に対して着脱自在であるとともにデータメモリを備えたパネル部材を複数備え、使用用途や所有者によってこれらのパネル部材を付け替えて使用できるようにすることにより、多機能であるとともに開発の際の製造期間や製造コストを削減することが可能となる。
【発明を実施するための最良の形態】
【０００９】
〔第１実施形態〕
本発明に係る携帯端末の第１実施形態について、添付図面を参照しながら説明する。第１実施形態の携帯端末として、複数の筐体が開閉自在に結合されてなるクラムシェル型の携帯端末１を例にあげて説明する。図１（Ａ）は、携帯端末１の開状態を示す正面図、図１（Ｂ）は、携帯端末１の開状態を示す側面図である。また、図２（Ａ）は、携帯端末１の閉状態を示す正面図、図２（Ｂ）は、携帯端末１の閉状態を示す側面図である。
【００１０】
携帯端末１は、本体部材２とこれに着脱自在な複数のパネル部材３、３Ａとから構成されている。本体部材２は、図１及び図２に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。また、上筐体１０及び下筐体１１は、ヒンジ部１２を挟むようにヒンジ結合されていて、上筐体１０は下筐体１１に対して、ヒンジ部１２を軸にして、図１（Ａ）のＸ方向に所定角度だけ回転自在なように形成されている。携帯端末１は、上筐体１０を下筐体１１に対して回転させることにより、閉状態から開状態に、あるいは開状態から閉状態に変形する。
【００１１】
上筐体１０の内面（下筐体１１に対面する側の面）には、文字や画像等の表示情報を表示するための液晶ディスプレイ１３、音声を出力するためのスピーカ１４が設けられている。これらの液晶ディスプレイ１３やスピーカ１４は、携帯端末１が閉状態のときには、下筐体１１により覆われていて外部に露出していないが、上筐体１０を下筐体１１に対して回転させて開状態に変形させたときに、外部に露出される。
【００１２】
下筐体１１の内面（上筐体１０に対面する側の面）には、例えば、カーソルを上下左右に移動させるための十字キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯端末１が閉状態のときには、上筐体１０により覆われていて外部に露出していないが、上筐体１０を下筐体１１に対して回転させて開状態に変形させたときに、外部に露出される。
【００１３】
上筐体１０の外面（下筐体１１に対面しない側の面）には、図３に示すように、パネル部材３、３Ａが着脱自在に設けられている。パネル部材３、３Ａが本体部材２に取り付けられる際、例えば、このパネル部材３、３Ａが凸部（図示せず）を備えていて、この凸部が上筐体１０の外面に設けられた凹部１７に係合することにより、パネル部材３、３Ａが本体部材２に固定される。パネル部材３、３Ａは、本体部材２に取り付けられた状態で、この本体部材２に電気的に接続される。なお、パネル部材３、３Ａを本体部材２に取り付ける方法はこれに限定されない。ユーザは、携帯端末１の使用用途に応じてパネル部材３、３Ａを選択して、本体部材２に取り付ける。
【００１４】
ここで、携帯端末１はパネル部材３、３Ａとして、少なくとも業務用のパネル部材３、私用のパネル部材３Ａの２つを備えているものとする。業務用のパネル部材３はユーザが業務を行う際に使用されるパネル部材であり、図４に示すように、業務エリア内でのみ使用される。一方、私用のパネル部材３Ａはユーザのプライベートにおいて私用で使用されるパネル部材であり、業務エリア外でのみ使用される。ユーザは、業務エリア内から業務エリア外に移動する時には、携帯端末１から業務用のパネル部材３を取り外し、私用のパネル部材３Ａを取り付ける。またユーザは、業務エリア外から業務エリア内に移動する時には、携帯端末１から私用のパネル部材３Ａと取り外して、業務用のパネル部材３を取り付ける。
【００１５】
各々のパネル部材３、３Ａはデータメモリ（後述するパネル記憶部３３、３３Ａ）を備えていて、業務用のデータが業務用のパネル部材３に、業務用以外のデータが私用のパネル部材３Ａに記録されている。よって、ユーザが業務エリアの内外を移動する時に、パネル部材３、３Ａを付け替えることで、業務エリア内では業務用のデータにのみアクセスされ、業務エリア外では私用のデータにのみアクセスされる。これにより、ユーザが業務エリア内で私用のデータにアクセスしたり業務エリア外で業務用の機密データにアクセスしたりすることが防止される。
【００１６】
図４に示すように、業務エリア内にはアンテナ４が設置されていて、携帯端末１は、業務用のパネル部材３が装着されている場合にのみ、このアンテナ４に対して電波を送受信することができる。例えば、業務エリア内において複数のアンテナ４によりＷＬＡＮ（無線ＬＡＮ）等のネットワークが形成されていて、携帯端末１に業務用のパネル部材３が取り付けられている場合は、携帯端末１は、アンテナ４を介してこのネットワークにアクセスすることができる。また携帯端末１（例えば通信制御部２５）は、このアンテナ４からの電波を受信しているか否かに基づいて、携帯端末１が業務エリア内にあるか否かを判断することができる。
【００１７】
次に、携帯端末１の機能について、図５に示す機能ブロック図を用いて説明する。携帯端末１の本体部材２は、図５に示すように、主制御部２０、電源回路部２１、操作入力制御部２２、表示制御部２３、音声制御部２４、通信制御部２５、記憶部２６、及び、パネル接続部２７がバスによって相互に接続されて構成されている。
【００１８】
主制御部２０は、ＣＰＵ（Ｃｅｎｔｒａｌ  Ｐｒｏｃｅｓｓｉｎｇ  Ｕｎｉｔ）を具備し、携帯端末１の総括的な制御を行うとともに、その他の様々な演算処理や制御処理等を行う。また、本体部材２にパネル部材３、３Ａが装着された場合には、主制御部２０は、パネル部材３、３Ａの制御も行う。
【００１９】
電源回路部２１は、ユーザによる操作キー１５を介した入力に基づいて電源のオン／オフ状態を切り替え、電源がオン状態の場合に電力供給源（バッテリ等）から各部に対して電力を供給して、携帯端末１を動作可能にする。また、本体部材２にパネル部材３、３Ａが装着された場合には、電源回路部２１は、パネル部材３、３Ａの各部に対しても電力を供給する。
【００２０】
操作入力制御部２２は操作キー１５に対する入力インタフェースを備え、これらの操作キー１５を介した入力がされると信号を生成して主制御部２０に伝送する。表示制御部２３は液晶ディスプレイ１３に対する表示インタフェースを備え、主制御部２０の制御に基づいて、文字や画像等の表示情報を液晶ディスプレイ１３に表示させる。
【００２１】
また携帯端末１は、他の携帯端末や固定電話機に対して、基地局（図示せず）を介して音声通話処理を行う。すなわち音声制御部２４は、主制御部２０の制御に基づいて、マイクロフォン１６が集音した音声を取得して、この音声のアナログ信号をデジタル信号に変換し、通信制御部２５に伝送する。通信制御部２５は、このデジタル信号をスペクトラム拡散処理して、アンテナ２８を介して基地局（図示せず）に送信する。また通信制御部２５は、アンテナ２８を介して基地局から受信したデジタル信号をスペクトラム逆拡散処理して音声制御部２４に伝送する。音声制御部２４は、音声通話の際に、通信制御部２５から取得したデジタル信号をアナログ信号に変換して、この音声をスピーカ１４から出力する。
【００２２】
携帯端末１は、他の携帯端末や通信機器に対してデータ通信処理を行う。すなわち携帯端末１は、電子メールやＷｅｂ閲覧データ、画像データ等の様々なデータの送受信処理を行う。通信制御部２５は、データを受信する際、アンテナ２８を介して基地局から受信した受信信号をスペクトラム逆拡散処理して、データを復元する。このデータは、主制御部２０の指示により、表示制御部２３を介して液晶ディスプレイ１３に表示されたり記憶部２６に記録されたりする。また通信制御部２５は、操作入力制御部２２を介して入力されたデータや記憶部２６に記憶されたデータを送信する際、これらのデータに対してスペクトラム拡散処理を行い、アンテナ２８を介して基地局に送信する。
【００２３】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。
【００２４】
パネル接続部２７は、パネル部材３、３Ａが本体部材２に電気的に接続された時、及び電気的に切り離された時にこれらを検出して信号を生成する。そしてパネル接続部２７は、主制御部２０にパネル部材３、３Ａの接続状態を示す信号を伝送する。またパネル接続部２７は、主制御部２０からの指示をパネル部材３、３Ａに伝送したり、またパネル部材３、３Ａの記憶されている情報を取得して、この情報を主制御部２０に伝送したりする。
【００２５】
携帯端末１の業務用のパネル部材３は、パネル制御部３０、ＷＬＡＮ制御部３１、パネル記憶部３３、及びセキュリティ制御部３４がバスによって相互に接続されて構成されている。業務用のパネル部材３の各部は、本体部材２のパネル接続部２７に電気的に接続されることにより、本体部材２の電源回路部２１から電力を供給されて動作する。
【００２６】
パネル制御部３０は、本体部材２の主制御部２０の制御に基づいて、パネル部材３のデータ読み込み処理やデータ書き込み処理、セキュリティ処理、ＷＬＡＮを利用した通信処理等の様々な処理を行う。
【００２７】
ＷＬＡＮ制御部３１は、ＷＬＡＮ機能を備えていて、アンテナ３２を用いてデータを送受信することにより、業務エリア内でアンテナ４により形成されているＷＬＡＮのネットワークに接続してデータの送受信を行う。またＷＬＡＮ制御部３１は、アンテナ３２を介して、このＷＬＡＮのＶｏＩＰ（Ｖｏｉｃｅ  ｏｖｅｒ  Ｉｎｔｅｒｎｅｔ  Ｐｒｏｔｏｃｏｌ）を用いて音声データを送受信することにより内線電話を行う。この際、携帯端末１は、本体部材２のスピーカ１４やマイクロフォン１６を用いて音声の入出力を行う。
【００２８】
パネル記憶部３３は、ハードディスクや不揮発性メモリ等から構成されている。業務用のパネル部材３のパネル記憶部３３には業務情報、例えば会社情報、取引先情報等の機密情報が記憶されている。本体部材２に業務用のパネル部材３が装着された場合にのみ、この業務情報へのアクセスが許可される。また、取引先の電話番号やメールアドレス等を含んだアドレス帳情報を業務用のパネル部材３のパネル記憶部３３に記憶しておき、携帯端末１が業務エリア内にある時のみ、これらの電話番号やメールアドレスに発信したり電子メールを送ったりすることができるようにしても良い。また、従業員の個人内線電話番号、外線電話番号等を含んだアドレス帳を業務用のパネル部材３のパネル記憶部３３に記憶しておき、業務エリア外から業務エリア内に着信があった時には代表電話番号を利用するようにしても良い。
【００２９】
セキュリティ制御部３４は、本体部材２の主制御部２０の指示に基づいて、業務エリア外で本体部材２に業務用のパネル部材３が装着されていた場合に、音声や鳴動により警告を発生させてユーザに本体部材２から業務用のパネル部材３を取り外すように促したり、業務用のパネル部材３のパネル記憶部３３へのアクセスを禁止したりする。またセキュリティ制御部３４は、本体部材２の主制御部２０の指示に基づいて、業務エリア内で本体部材２に私用のパネル部材３Ａが装着されていた場合に、音声や鳴動により警告を発生させてユーザに本体部材２から業務用のパネル部材３を装着するように促す。
【００３０】
携帯端末１の私用のパネル部材３Ａは、パネル制御部３０、パネル記憶部３３Ａがバスによって相互に接続されて構成されている。私用のパネル部材３Ａの各部は、本体部材２のパネル接続部２７に電気的に接続されることにより、本体部材２の電源回路部２１から電力を供給されて動作する。
【００３１】
パネル記憶部３３Ａは、ハードディスクや不揮発性メモリ等から構成されている。私用のパネル部材３Ａのパネル記憶部３３Ａには、業務情報以外のプライベートな情報が記憶されている。本体部材２に私用のパネル部材３Ａが接続された場合にのみ、このプライベートな情報へのアクセスが許可される。
【００３２】
また、私用のパネル部材３Ａは業務用のパネル部材３と異なり、ＷＬＡＮ制御部３１を備えていないため、本体部材２に私用のパネル部材３Ａが装着されている場合には、携帯端末１は業務エリア内に設置されたアンテナ４に対してデータの送受信を行うことができない。すなわち、本体部材２に私用のパネル部材３Ａが装着されている場合には、携帯端末１は、アンテナ４が形成するＷＬＡＮのネットワークに接続することができない。
【００３３】
携帯端末１は、本体部材２に業務用のパネル部材３を装着することで業務用携帯端末として使用され、本体部材２に私用のパネル部材３Ａを装着することで個人用携帯端末として使用される。このとき、ユーザは、携帯端末１に業務用のパネル部材３を装着しない限りパネル記憶部３３に記憶された業務情報にアクセスできないため、機密情報が業務エリア外に持ち出されることが禁止され、業務情報の漏洩を防止できる。
【００３４】
ここで、ユーザが携帯端末１を所持しながら業務エリア内から業務エリア外に移動する際の、セキュリティ処理について、図６乃至図８を用いて説明する。携帯端末１がこのセキュリティ処理を行う際の手順について、図６に示すフローチャートに基づいて説明する。以下、例えば「ステップＳ１０１」を「Ｓ１０１」のように、「ステップ」の語句を省略して説明する。
【００３５】
始めに主制御部２０は、携帯端末１が出構しようとしているか否かを判断する（Ｓ１０１）。この際、携帯端末１は、業務エリア内にのみ設置されたアンテナ４に対して相互通信を行い、業務エリア内から業務エリア外に移動することを検知した場合、すなわちアンテナ４との相互通信ができなくなりそうな場合、出講しようとしているものと判断する。出構しようとしていない場合（Ｓ１０１のＮｏ）は、主制御部２０はそのまま待機する。
【００３６】
携帯端末１が出構しようとしている場合（Ｓ１０１のＹｅｓ）は、主制御部２０は、携帯端末１から業務用のパネル部材３が取り外されているか否かを判断する（Ｓ１０３）。この際、主制御部２０は、パネル部材３、３Ａの本体部材２に対する接続状態を示す情報をパネル接続部２７から取得し、この情報に基づいて判断する。
【００３７】
業務用のパネル部材３が取り外されていた場合（Ｓ１０３のＹｅｓ）は、主制御部２０は、出構した旨を登録する（Ｓ１０５）。この際、携帯端末１の記憶部２６等に出構した旨を示す情報を記憶することにより登録しても、ＷＬＡＮ制御部３１がアンテナ４を介してＷＬＡＮのネットワークにより接続された外部装置に出構した旨を示す情報を送信することにより登録しても良い。
【００３８】
図７に示すように、業務用のパネル部材３が携帯端末１から取り外されていなかった場合（Ｓ１０３のＮｏ）は、主制御部２０は、ユーザに対して業務用のパネル部材３を外すように警告する（Ｓ１０７）。この際、警告画面を液晶ディスプレイ１３に表示することにより警告しても、スピーカ１４により警告のための音声を出力することにより警告しても、セキュリティ制御部３４が携帯端末１を鳴動させることにより警告しても良い。
【００３９】
主制御部２０は、再び携帯端末１から業務用のパネル部材３が取り外されたか否かを判断する（Ｓ１０９）。この際の判断方法は、ステップＳ１０３の場合と同様である。ステップＳ１０７の処理を受けて業務用のパネル部材３が取り外された場合（Ｓ１０９のＹｅｓ）は、主制御部２０は、出構した旨を登録する（Ｓ１０５）。
【００４０】
図８に示すように、業務用のパネル部材３が取り外されなかった場合（Ｓ１０９のＮｏ）は、主制御部２０の指示に基づいて、セキュリティ制御部３４はパネル記憶部３３へのアクセスを禁止する。（Ｓ１１１）。パネル記憶部３３へのアクセスが禁止されると、ユーザによる操作キー１５を介した入力等によりパネル記憶部３３に記憶された情報にアクセスしようとしても、主制御部２０がパネル記憶部３３に記憶された情報を取得することができない。
【００４１】
このように携帯端末１は、本体部材２に業務用のパネル部材３を装着したまま業務エリア外に移動してしまうことを防ぐため、アンテナ４に対して相互通信を行い業務用のパネル部材３が装着された携帯端末１が業務エリア内にあることを常に監視し、携帯端末１が業務エリア外に出る際に業務用のパネル部材３が装着されている場合には、ユーザに向けて警告を発することで業務用のパネル部材３を本体部材２から取り外すように促す。それでもなお、業務用のパネル部材３が装着されたまま携帯端末１が業務エリアから離れていく場合には、携帯端末１は業務用のパネル部材３をロックし、パネル部材３に記憶された情報へのアクセスを禁止する。また、携帯端末１において、業務エリア内での業務用のパネル部材３の着脱状態を入退勤システムに連動させ、ユーザの勤務状況の管理を行えるようにする。
【００４２】
次に、ユーザが携帯端末１を所持しながら業務エリア外から業務エリア内に移動する際の、セキュリティ処理について、図９及び図１０を用いて説明する。携帯端末１がこのセキュリティ処理を行う際の手順について、図９に示すフローチャートに基づいて説明する。
【００４３】
始めに主制御部２０は、携帯端末１が入構しようとしているか否かを判断する（Ｓ２０１）。この際、携帯端末１は、業務エリア内にのみ設置されたアンテナ４から電波を受信し、業務エリア外から業務エリア内に移動することを検知した場合、入構しようとしているものと判断する。入構しようとしていない場合（Ｓ２０１のＮｏ）は、主制御部２０はそのまま待機する。
【００４４】
携帯端末１が入構しようとしている場合（Ｓ２０１のＹｅｓ）は、主制御部２０は、携帯端末１に業務用のパネル部材３が装着されているか否かを判断する（Ｓ２０３）。この際、主制御部２０は、パネル部材３、３Ａの本体部材２に対する接続状態を示す情報をパネル接続部２７から取得し、この情報に基づいて判断する。
【００４５】
業務用のパネル部材３が装着されていた場合（Ｓ２０３のＹｅｓ）は、主制御部２０は、入構した旨を登録する（Ｓ２０５）。この際、ステップＳ１０５と同様に、携帯端末１の記憶部２６等に入構した旨を示す情報を記憶することにより登録しても、ＷＬＡＮ制御部３１がアンテナ４を介してＷＬＡＮのネットワークにより接続された外部装置に入構した旨を示す情報を送信することにより登録しても良い。
【００４６】
図１０に示すように、入構時に業務用のパネル部材３が携帯端末１に装着されていなかった場合（Ｓ２０３のＮｏ）は、主制御部２０は、ユーザに対して業務用のパネル部材３を装着するように、警告する（Ｓ２０７）。この際、警告画面を液晶ディスプレイ１３に表示することにより警告しても、スピーカ１４により警告のための音声を出力することにより警告しても良い。
【００４７】
主制御部２０は、再び携帯端末１に業務用のパネル部材３が装着されたか否かを判断する（Ｓ２０９）。この判断方法は、ステップＳ２０３の場合と同様である。業務用のパネル部材３が装着された場合（Ｓ２０９のＹｅｓ）は、主制御部２０は、入構した旨を登録する（Ｓ２０５）。
【００４８】
業務用のパネル部材３が装着されなかった場合（Ｓ２０９のＮｏ）は、ステップＳ２０７に戻って、主制御部２０は、再びユーザに対して業務用のパネル部材３を装着するように警告する。ステップＳ２０７及びＳ２０９の処理は、所定回数繰り返されたらステップＳ２０５の登録処理を行わずに終了するようにしても良い。
【００４９】
このように携帯端末１は、業務エリア外から業務エリア内に移動する際に業務用のパネル部材３が装着されていない場合には、ユーザに向けて警告を発することでユーザに業務用のパネル部材３を本体部材２に取り付けるように促す。また、携帯端末１において、業務エリア内での業務用のパネル部材３の着脱状態を入退勤システムに連動させ、ユーザの勤務状況の管理を行える。
【００５０】
なお、携帯端末１は、業務用のパネル部材３が取り付けられていることを検知したときに、携帯端末１の機能を制限することで、業務以外の用途に携帯端末１が使用されることを禁止しても良い。例えば、携帯端末１による特定の宛先以外への発着信やメール送受信を禁止したり、Ｗｅｂサイトへのアクセスを制限すると良い。
【００５１】
第１実施形態によると、業務で使用されるデータ、及び業務以外の私用で使用されるデータをパネル部材３、３Ａにそれぞれ分けて記憶するとともに、本体部材２を業務用と私用とで共有できるようにすることにより、業務用の携帯端末と私用の携帯端末を別々に作成する必要がなくなり、開発の際の製造期間や製造コストを削減することが可能となる。
【００５２】
また、第１実施形態によると、業務で使用されるデータ、及び業務以外の私用で使用されるデータをパネル部材３、３Ａにそれぞれ分けて記憶するため、本体部材２に記憶されるデータを少なくすることができ、記憶部２６のメモリ領域を有効利用することが可能となる。
【００５３】
〔第２実施形態〕
本発明に係る携帯端末の第２実施形態について、図１１乃至１４に基づいて説明する。第２実施形態の携帯端末１Ａは、第１実施形態の携帯端末１と同様に、図１及び図２に示すような構成を備えているものとする。なお、第１実施形態と同一の構成には同一の符号を付し、重複する説明を省略する。
【００５４】
携帯端末１Ａは、図１１に示すように、本体部材２Ａに着脱自在な複数のパネル部材３Ｂ乃至３Ｄを備えている。パネル部材３Ｂ乃至３Ｄは、使用用途や所有者によっていずれか一つが選択されて、本体部材２Ａに装着される。ここでは、例えば、家族の各々がパネル部材３Ｂ乃至３Ｄを所有するとともに、これらのパネル部材３Ｂ乃至３Ｄのいずれかが共用の本体部材２Ａに装着されて使用される例について説明する。なお、携帯端末１が、例えば、祖父に所有される祖父用パネル３Ｂ、娘に所有される娘用パネル３Ｃ、父に所有される父用パネル３Ｄ等を備えているものとする。
【００５５】
携帯端末１Ａの機能について、図１２に示す機能ブロック図を用いて説明する。携帯端末１Ａの本体部材２Ａは、図１２に示すように、主制御部２０、電源回路部２１、操作入力制御部２２、表示制御部２３、音声制御部２４、記憶部２６、及び、パネル接続部２７がバスによって相互に接続されて構成されている。第２実施形態の携帯端末１Ａは、第１実施形態の携帯端末１と異なり、本体部材２Ａに通信制御部２５を備えていないため、パネル部材３Ｂ乃至３Ｄが装着されている場合のみ、通信を行うことができる。
【００５６】
また、携帯端末１Ａのパネル部材３Ｂ乃至３Ｄは、パネル制御部３０、パネル記憶部３３Ｂ、ＳＩＭ制御部３５、及び通信制御部３７がバスによって相互に接続されて構成されている。通信制御部２７は、第１実施形態の携帯端末１の本体部材２に備えられている通信制御部２５と同一のものであり、携帯端末１Ａは、パネル部材３Ｂ乃至３Ｄが装着されている場合に、これらのパネル部材３Ｂ乃至３Ｄに備えられた通信制御部３７を介して音声通話処理やデータ通信処理を行う。
【００５７】
パネル記憶部３３Ｂには、所有者のプライベートな情報やプロファイル情報４０、４０Ａが記憶されている。プロファイル情報４０、４０Ａの例として、図１３（Ａ）に祖父用パネル３Ｂに記録されたプロファイル情報４０を、図１３（Ｂ）に娘用パネル３Ｃに記録されたプロファイル情報４０Ａを示す。
【００５８】
プロファイル情報４０、４０Ａは、携帯端末１Ａが有する各種機能のＯＮ／ＯＦＦ状態や携帯端末１Ａの操作状態を示す情報であって、例えば、防犯機能をＯＮにするかＯＦＦにするかを示す防犯機能設定情報４０ａ、文字フォントを示す文字フォント情報４０ｂ、文字サイズを示す文字サイズ情報４０ｃ、漢字変換する時に優先的に変換される言葉の種類を示す予測変換情報４０ｄ、音量を示す音量情報４０ｅ等を含んでいる。
【００５９】
例えば、祖父用パネル３Ｂに記録されているプロファイル情報４０において、防犯機能情報４０ａが「ＯＦＦ」、文字フォント情報４０ｂが「毛筆体」、文字サイズ情報４０ｃが「大」、予測変換情報４０ｄが「漢字」、音量情報４０ｅが「大」である。また、娘用パネル３Ｃに記録されているプロファイル情報４０Ａにおいて、防犯機能情報４０ａが「ＯＮ」、文字フォント情報４０ｂが「丸文字」、文字サイズ情報４０ｃが「中」、予測変換情報４０ｄが「ひらがな」、音量情報４０ｅが「中」である。
【００６０】
その他、所有者が中・高校生でかつ性別が女性ならば、予測変換情報４０ｄを「絵文字」にしたり、所有者の出身地が関西地方ならば、予測変換情報４０ｄを「関西弁」にしたり、また、所有者の出身地が米国ならば、文字フォント情報４０ｂを「英語」にしたりすることが考えられる。
【００６１】
携帯端末１Ａの本体部材２Ａにパネル部材３Ｂ乃至３Ｄが接続されると、主制御部２０はパネル部材３Ｂ乃至３Ｄからこれらのプロファイル情報４０、４０Ａを取得して、これらの情報に基づいて、例えば防犯機能のＯＮ／ＯＦＦ状態や文字フォント等を携帯端末１に設定する。
【００６２】
ＳＩＭ制御部３５は、携帯電話会社によって発行される契約者情報が記録されたＳＩＭ（Ｓｕｂｓｃｒｉｂｅｒ  Ｉｄｅｎｔｉｔｙ  Ｍｏｄｕｌｅ  ｃａｒｄ）カード３５に電気接続されている。ＳＩＭ制御部３５は、主制御部２０の指示に基づいて、ＳＩＭカード３６に記録された情報を主制御部２０に伝送する。携帯端末１Ａにおいて音声通話処理やデータ通信処理が行われる際には、このＳＩＭカード３６に記憶されている契約者情報に基づいて行われる。
【００６３】
また携帯端末１は、他の携帯端末や固定電話機に対して音声通話処理を行う際、パネル部材３Ｂ乃至３Ｄの通信制御部３７を介して行う。すなわち本体部材２Ａの音声制御部２４は、主制御部２０の制御に基づいて、マイクロフォン１６が集音した音声を取得して、この音声のアナログ信号をデジタル信号に変換し、通信制御部３７に伝送する。通信制御部３７は、このデジタル信号をスペクトラム拡散処理して、ＳＩＭカード３６に記憶されている契約者情報に基づいて、アンテナ３８を介して基地局（図示せず）に送信する。
【００６４】
また通信制御部３７は、ＳＩＭカード３６に記憶されている契約者情報に基づいて、アンテナ３８を介して基地局からデジタル信号を受信し、受信したデジタル信号をスペクトラム逆拡散処理して本体部材２Ａの音声制御部２４に伝送する。音声制御部２４は、音声通話の際に、通信制御部３７から取得したデジタル信号をアナログ信号に変換して、この音声をスピーカ１４から出力する。
【００６５】
携帯端末１は、他の携帯端末や通信機器に対してデータ通信処理を行う際も同様に、パネル部材３Ｂ乃至３Ｄの通信制御部３７を介して行う。すなわち携帯端末１は、通信制御部３７は、データを受信する際、ＳＩＭカード３６に記憶されている契約者情報に基づいて、アンテナ３８を介して基地局からデジタル信号を受信し、受信した受信信号をスペクトラム逆拡散処理してデータを復元する。このデータは、主制御部２０の指示により、表示制御部２３を介して液晶ディスプレイ１３に表示されたり記憶部２６に記録されたりする。
【００６６】
また通信制御部３７は、操作入力制御部２２を介して入力されたデータや記憶部２６に記憶されたデータを送信する際、これらのデータに対してスペクトラム拡散処理を行い、ＳＩＭカード３６に記憶されている契約者情報に基づいて、アンテナ３８を介して基地局に送信する。
【００６７】
ここで、所有者が本体部材２に自分の所有するパネル部材３Ｂ乃至３Ｄを装着した際に、これらのパネル部材３Ｂ乃至３Ｄに記憶されたプロファイル情報４０、４０Ａに基づいて設定処理を行う際の手順について、図１４に示すフローチャートに基づいて説明する。なお、始めに本体部材２Ａにパネル部材３Ｂ乃至３Ｄが装着（接続）されていないものとする。
【００６８】
まず主制御部２０は、本体部材２Ａにパネル部材３Ｂ乃至３Ｄが接続されたか否かを判断する（Ｓ３０１）。この際、主制御部２０は、パネル部材３Ｂ乃至３Ｄの本体部材２Ａに対する接続状態を示す情報をパネル接続部２７から取得し、この情報に基づいて判断する。パネル部材３Ｂ乃至３Ｄが接続されていない場合（Ｓ３０１のＮｏ）は、主制御部２０はそのまま待機する。
【００６９】
パネル部材３Ｂ乃至３Ｄが接続された場合（Ｓ３０１のＹｅｓ）は、主制御部２０は、パネル部材３Ｂ乃至３Ｄのパネル記憶部３３Ｂに記憶されているプロファイル情報４０、４０Ａを取得する（Ｓ３０３）。主制御部２０は、ステップＳ３０３にて取得したプロファイル情報４０、４０Ａに基づいて、携帯端末１Ａに対して文字フォントや文字サイズ、音量等の操作状態を設定する（Ｓ３０５）。
【００７０】
例えば、ステップＳ３０１にて本体部材２に祖父用のパネル部材３Ｂが接続された場合には、図１３（Ａ）に示すプロファイル情報４０に基づいて、文字フォントを「毛筆帯」に、文字サイズを「大」に、予測変換機能を「漢字」優先に、音量を「大」に設定する。また、ステップＳ３０１にて本体部材２に娘用のパネル部材３Ｃが接続された場合には、図１３（Ｂ）に示すプロファイル情報４０Ａに基づいて、文字フォントを「丸文字」に、文字サイズを「中」に、予測変換機能を「ひらがな」優先に、音量を「中」に設定する。
【００７１】
主制御部２０は、ステップＳ３０３にて取得したプロファイル情報４０、４０Ａに基づいて、不要な機能があるか否かを判断する（Ｓ３０７）。不要な機能があった場合（Ｓ３０７のＹｅｓ）は、主制御部２０は、この不要な機能をＯＦＦにする（Ｓ３０９）。
【００７２】
例えば、ステップＳ３０１にて本体部材２Ａに祖父用のパネル部材３Ｂが接続された場合には、図１３（Ａ）に示すプロファイル情報４０において防犯機能が「ＯＦＦ」に設定されているため、主制御部２０は携帯端末１Ａの防犯機能を「ＯＦＦ」に設定する。また、ステップＳ３０１にて本体部材２Ａに娘用のパネル部材３Ｃが接続された場合には、図１３（Ｂ）に示すプロファイル情報４０において「ＯＦＦ」に設定されている機能がないため、主制御部２０はステップＳ３０９の処理を行わない。
【００７３】
このように携帯端末１Ａにおいて、本体部材２Ａを複数の所有者で共有するとともに、この本体部材２Ａに着脱自在なパネル部材３Ｂ乃至３Ｄを各々の所有者が個別に所有し、これらのパネル部材３Ｂ乃至３Ｄにプライベートな情報やプロファイル情報４０、４０Ａを記憶させる。そして、携帯端末１Ａは、いずれかのパネル部材３Ｂ乃至３Ｄが本体部材２Ａに装着された際に、このパネル部材３Ｂ乃至３Ｄに記憶されたプロファイル情報４０、４０Ａから所有者の特徴を識別し、携帯端末１Ａの操作状態を所有者毎に使いやすい状態に設定したり不要な機能をＯＦＦにしたりする。これにより、携帯端末１Ａにおけるメモリを有効活用できるとともに、操作性を向上させることができる。
【００７４】
また、携帯端末２Ａは、パネル部材３Ｂ乃至３ＤがそれぞれＳＩＭカード３６を備えていることにより、装着されたパネル部材３Ｂ乃至３Ｄに各々記憶されている契約者情報（電話番号やメールアドレス等）に基づいて通信を行う。また、本体部材２Ａではなくパネル部材３Ｂ乃至３Ｄがそれぞれの所有者のプライベートな情報を記憶することにより、本体部材２Ａを複数の所有者で共用した場合であっても、プライベートな情報が相互に漏洩することが防止される。
【００７５】
なお、第２実施形態では、パネル部材３Ｂ乃至３Ｄに記憶されたプロファイル情報４０、４０Ａから所有者の特徴を識別する例について説明したが、これに限定されず、パネル部材３Ｂ乃至３Ｄに凹凸形状等により所有者の特徴を備えさせ、本体部材２Ａでこの凹凸形状により所有者の特徴を認識するようにしても良い。
【００７６】
あるいは、所有者の識別情報が予め記録されたＩＣタグをパネル部材３Ｂ乃至３Ｄに実装するとともに、本体部材２ＡにＩＣタグリーダーを実装する事で、本体部材２Ａで所有者の特徴を認識するようにしても良い。または、ＳＤメディアカード等の外部メディアに所有者の識別情報を予め記憶させておき、本体部材２Ａがこの外部メディアに記憶された情報を読み取ることで所有者の特徴を認識するようにしても良い。
【００７７】
また、所有者の特徴となる識別情報（プロファイル情報４０、４０Ａ）は、「１２歳以下（キッズ）」、「中・高校生（ジュニア）」、「一般（標準）」、「６０歳以上（シニア）」等のカテゴリで表されたり、性別や趣味や出身地で表されたり、または複数のカテゴリは任意に組み合わせて表されたりすると良い。
【００７８】
また、パネル部材３Ｂ乃至３Ｄにアンテナ機能を持たせることで、携帯端末１Ａでの通信の際の受信感度を向上させることができる。また、パネル部材３Ｂ乃至３Ｄに広角レンジを実装することで、携帯端末１Ａを広角カメラとして利用出来るようにしても良い。また、パネル部材３Ｂ乃至３Ｄに大スピーカーを実装することで、携帯端末１Ａを大音量携帯として利用できるようにしても良い。
【００７９】
第２実施形態によると、本体部材２Ａに着脱自在な複数のパネル部材３Ｂ乃至３Ｄに所有者毎のプライベートな情報や携帯端末１Ａの設定情報をそれぞれ記憶するとともに、本体部材２Ａを各所有者で共有することにより、所有者毎に専用の筐体（本体部材２Ａ）やアプリケーションプログラムを作成する必要がなくなるため、開発の際の製造期間や製造コストを削減することが可能となる。
【００８０】
また、第２実施形態によると、各々のパネル部材３Ｂ乃至３ＤがＳＩＭカード３６を備えているため、本体部材２ＡにＳＩＭスロットを実装する必要がなく、携帯端末１Ａを開発する際の製造期間や製造コストを削減することができる。さらに、第２実施形態によると、各々のパネル部材３Ｂ乃至３Ｄが通信機能（通信制御部３７）を備えることにより、本体部材２Ａに通信機能を実装する必要がなく、携帯端末１Ａを開発する際の製造期間や製造コストを削減することができる。
【００８１】
さらに、第２実施形態によると、複数のパネル部材３Ｂ乃至３Ｄに所有者毎のプライベートな情報や携帯端末１Ａの設定情報をそれぞれ記憶することにより、本体部材２Ａに記憶される情報を少なくすることができ、また、設定情報に基づいて不要な機能をＯＦＦにすることができ、記憶部２６のメモリ領域を有効利用することが可能となる。
【００８２】
第１実施形態や第２実施形態における本体部材２、２Ａの構成、パネル部材３、３Ａ乃至３Ｄの構成に限定されず、例えばパネル部材３、３Ａ乃至３Ｄが表示制御部２３及び液晶ディスプレイ１３を備える等、任意の構成にして良い。
【００８３】
本発明の説明として、携帯端末１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ゲーム機器等の任意の通信端末であっても良い。
【図面の簡単な説明】
【００８４】
【図１】（Ａ）は、本発明に係る携帯端末の開状態を示す正面図、（Ｂ）は、本発明に係る携帯端末の開状態を示す側面図。
【図２】（Ａ）は、本発明に係る携帯端末の閉状態を示す正面図、（Ｂ）は、本発明に係る携帯端末の閉状態を示す側面図。
【図３】第１実施形態の携帯端末において本体部材からパネル部材を着脱する様子を示す側面図。
【図４】第１実施形態の携帯端末におけるパネル制御処理を説明するための図。
【図５】第１実施形態の携帯端末の機能ブロック図。
【図６】第１実施形態の携帯端末における出構時のパネル制御処理を行う際の手順を示すフローチャート。
【図７】第１実施形態の携帯端末における出構時のパネル制御処理を説明するための図。
【図８】第１実施形態の携帯端末における出構時のパネル制御処理を説明するための図。
【図９】第１実施形態の携帯端末における入構時のパネル制御処理を行う際の手順を示すフローチャート。
【図１０】第１実施形態の携帯端末における入構時のパネル制御処理を説明するための図。
【図１１】第２実施形態の携帯端末において本体部材からパネル部材を着脱する様子を示す側面図。
【図１２】第２実施形態の携帯端末の機能ブロック図。
【図１３】（Ａ）は、祖父用パネル部材に記憶されたプロファイル情報の一例を示すデータ構成図、（Ｂ）は、娘用パネル部材に記憶されたプロファイル情報の一例を示すデータ構成図。
【図１４】第２実施形態の携帯端末におけるパネル制御処理を行う際の手順を示すフローチャート。
【符号の説明】
【００８５】
１、１Ａ…携帯端末，２、２Ａ…本体部材，３、３Ａ乃至３Ｄ…パネル部材，４…アンテナ，１０…上筐体，１１…下筐体，１２…ヒンジ部，１３…液晶ディスプレイ，１４…スピーカ，１５…操作キー，１６…マイクロフォン，１７…凹部，２０…主制御部，２１…電源回路部，２２…操作入力制御部，２３…表示制御部，２４…音声制御部，２５…通信制御部，２６…記憶部，２７…パネル接続部，２８…アンテナ，３０…パネル制御部，３１…ＷＬＡＮ制御部，３２…アンテナ，３３、３３Ａ、３３Ｂ…パネル記憶部，３４…セキュリティ制御部，３５…ＳＩＭ制御部，３６…ＳＩＭカード，３７…通信制御部，３８…アンテナ，４０、４０Ａ…プロファイル情報。
【図１】
2009159276.tif 000003
【図２】
2009159276.tif 000004
【図３】
2009159276.tif 000005
【図４】
2009159276.tif 000006
【図５】
2009159276.tif 000007
【図６】
2009159276.tif 000008
【図７】
2009159276.tif 000009
【図８】
2009159276.tif 000010
【図９】
2009159276.tif 000011
【図１０】
2009159276.tif 000012
【図１１】
2009159276.tif 000013
【図１２】
2009159276.tif 000014
【図１３】
2009159276.tif 000015
【図１４】
2009159276.tif 000016